(57)【要約】【課題】安価で製造可能であって、使いやすい賞味期限管理シートを提供する。【解決手段】台紙に管理用シートと、表示用シールとを着脱自在に貼設した賞味期限管理シートであって、管理用シートには、各曜日に対応させた７つの表示用シール貼着欄から構成した一覧表部と、この一覧表部に貼着する表示用シールを仮貼着する仮貼着部とを設ける。または、台紙に管理用シートと、第１表示用シールと、第２表示用シールとを着脱自在に貼設した賞味期限管理シートであって、管理用シートには、複数の第１表示用シール貼着欄と、この第１表示用シール貼着欄ごとに各曜日に対応させた７つの第２表示用シール貼着欄とから構成した一覧表部と、この一覧表部に貼着する第１表示用シール及び第２表示用シールを仮貼着する仮貼着部とを設ける。【選択図】図１
2005121824.tif 000002
【特許請求の範囲】
【請求項１】
台紙に管理用シートと、表示用シールとを着脱自在に貼設した賞味期限管理シートであって、
前記管理用シートには、各曜日に対応させた７つの表示用シール貼着欄から構成した一覧表部と、この一覧表部に貼着する前記表示用シールを仮貼着する仮貼着部とを設けたことを特徴とする賞味期限管理シート。
【請求項２】
前記表示用シールの一側には、同表示用シールの幅寸法よりも細幅とした細幅片を設けるとともに、この細幅片の先端には同細幅片よりも太幅とした重合片を設け、前記細幅片の中途部で折り返すことにより前記重合片を前記表示用シールの裏面に重合させて摘み片を形成することを特徴とする請求項１記載の賞味期限管理シート。
【請求項３】
台紙に管理用シートと、第１表示用シールと、第２表示用シールとを着脱自在に貼設した賞味期限管理シートであって、
前記管理用シートには、複数の第１表示用シール貼着欄と、この第１表示用シール貼着欄ごとに各曜日に対応させた７つの第２表示用シール貼着欄とから構成した一覧表部と、この一覧表部に貼着する前記第１表示用シール及び前記第２表示用シールを仮貼着する仮貼着部とを設けたことを特徴とする賞味期限管理シート。
【請求項４】
前記仮貼着部には、前記第１表示用シールを仮貼着する第１仮貼着部と、前記第２表示用シールを仮貼着する第２仮貼着部とから構成し、第１仮貼着部と第２仮貼着部との間に前記一覧表部を設けたことを特徴とする請求項３記載の賞味期限管理シート。
【請求項５】
前記第１表示用シールの一側及び前記第２表示用シールの一側には、前記第１表示用シール及び前記第２表示用シールの幅寸法よりも細幅とした細幅片を設けるとともに、この細幅片の先端には同細幅片よりも太幅とした重合片を設け、前記細幅片の中途部で折り返すことにより前記重合片を前記第１表示用シールの裏面及び前記第２表示用シールの裏面に重合させて摘み片を形成することを特徴とする請求項３または請求項４に記載の賞味期限管理シート。
【発明の詳細な説明】
【技術分野】
【０００１】
本発明は、冷蔵庫等に収容した食品の賞味期限を管理するために用いる賞味期限管理シートに関するものである。
【背景技術】
【０００２】
従来、購入した食品の賞味期限を管理する方法としては、様々な方法が提案されている。たとえば、食品名記入欄と日付記入欄を設けたボードであって、このボードを冷蔵庫に取着しておき、冷蔵庫に新たに食品を収容する際にボードに食品名及び賞味期限若しくは購入日を記入し、冷蔵庫から食品を取り出した際に、取り出した食品の食品名及び賞味期限若しくは購入日をボードから消去することにより管理するようにしたものが知られている（例えば、特許文献１参照。）。
【０００３】
さらには、ボードへの書込処理の煩雑さを解消するために登録読込みペンを用いて食品名及び賞味期限若しくは購入日の入力を行う外部表示具も知られている（例えば、特許文献２参照。）。
【特許文献１】実開平６−６９９７８号公報
【特許文献２】特開平１１−５２８５５号公報
【発明の開示】
【発明が解決しようとする課題】
【０００４】
しかしながら、前記したボードや外部表示具でも利用者にとっては食品名及び賞味期限若しくは購入日の入力作業及び消去作業が煩雑であって、いわゆる三日坊主となりやすく、このようなボードや外部表示具に対する購入意欲を掻き立てることが困難となっているという不具合があった。
【０００５】
その一方で、食品の賞味期限の管理に対する簡便な方法を求める潜在的な需要には大きいものがあり、本発明者は、利用者による入力作業をできるだけ削減することにより使い勝手を向上させるとともに、低コストで製造して安価で提供することによって、このような潜在的な要求に応えるべく開発を行い、本発明を成すに至ったものである。
【課題を解決するための手段】
【０００６】
本発明の賞味期限管理シートでは、台紙に管理用シートと、表示用シールとを着脱自在に貼設した賞味期限管理シートであって、管理用シートには、各曜日に対応させた７つの表示用シール貼着欄から構成した一覧表部と、この一覧表部に貼着する表示用シールを仮貼着する仮貼着部とを設けた。
【０００７】
さらに、表示用シールの一側には、同表示用シールの幅寸法よりも細幅とした細幅片を設けるとともに、この細幅片の先端には同細幅片よりも太幅とした重合片を設け、細幅片の中途部で折り返すことにより重合片を表示用シールの裏面に重合させて摘み片を形成することにも特徴を有するものである。
【０００８】
また、本発明の賞味期限管理シートでは、台紙に管理用シートと、第１表示用シールと、第２表示用シールとを着脱自在に貼設した賞味期限管理シートであって、管理用シートには、複数の第１表示用シール貼着欄と、この第１表示用シール貼着欄ごとに各曜日に対応させた７つの第２表示用シール貼着欄とから構成した一覧表部と、この一覧表部に貼着する第１表示用シール及び第２表示用シールを仮貼着する仮貼着部とを設けた。
【０００９】
さらに、仮貼着部は、第１表示用シールを仮貼着する第１仮貼着部と、第２表示用シールを仮貼着する第２仮貼着部とから構成し、第１仮貼着部と第２仮貼着部との間に一覧表部を設けたことにも特徴を有し、第１表示用シールの一側及び第２表示用シールの一側には、第１表示用シール及び第２表示用シールの幅寸法よりも細幅とした細幅片を設けるとともに、この細幅片の先端には同細幅片よりも太幅とした重合片を設け、細幅片の中途部で折り返すことにより重合片を第１表示用シールの裏面及び第２表示用シールの裏面に重合させて摘み片を形成することにも特徴を有するものである。
【発明の効果】
【００１０】
請求項１記載の発明によれば、台紙に管理用シートと、表示用シールとを着脱自在に貼設した賞味期限管理シートであって、管理用シートには、各曜日に対応させた７つの表示用シール貼着欄から構成した一覧表部と、この一覧表部に貼着する表示用シールを仮貼着する仮貼着部とを設けたことによって、表示用シールの貼着だけで賞味期限の管理を行うことができ、使用者の負担を極めて低減させながら必要最低限の管理を行うことができる。しかも、賞味期限管理シートを安価に形成することができる。
【００１１】
さらに、賞味期限管理シートを利用することによって、冷蔵庫内に収容している食品の賞味期限を冷蔵庫のドアを開けることなく確認できるので、冷蔵庫のドアの開閉回数を削減して、ドアの開閉にともなって変動した内部温度の調整に要する電力消費を削減して省電力化を図ることができる。
【００１２】
請求項２記載の発明によれば、表示用シールの一側には、同表示用シールの幅寸法よりも細幅とした細幅片を設けるとともに、この細幅片の先端には同細幅片よりも太幅とした重合片を設け、細幅片の中途部で折り返すことにより重合片を表示用シールの裏面に重合させて摘み片を形成することによって、表示用シールに摘み片を容易に形成することができるとともに、摘み片部分は二重構造となっていることによって破損しにくくすることができる。しかも、摘み片部分は管理用シートとは粘着していないので、管理用シートへの表示用シールの着脱を容易に行うことができる。
【００１３】
請求項３記載の発明によれば、台紙に管理用シートと、第１表示用シールと、第２表示用シールとを着脱自在に貼設した賞味期限管理シートであって、管理用シートには、複数の第１表示用シール貼着欄と、この第１表示用シール貼着欄ごとに各曜日に対応させた７つの第２表示用シール貼着欄とから構成した一覧表部と、この一覧表部に貼着する第１表示用シール及び第２表示用シールを仮貼着する仮貼着部とを設けたことによって、第１表示用シール及び第２表示用シールの貼着だけで賞味期限の管理を行うことができ、使用者の負担を極めて低減させながら必要最低限の管理を行うことができる。しかも、賞味期限管理シートを安価に形成することができる。
【００１４】
さらに、賞味期限管理シートを利用することによって、冷蔵庫内に収容している食品の賞味期限を冷蔵庫のドアを開けることなく確認できるので、冷蔵庫のドアの開閉回数を削減して、ドアの開閉にともなって変動した内部温度の調整に要する電力消費を削減して省電力化を図ることができる。
【００１５】
請求項４記載の発明によれば、仮貼着部は、第１表示用シールを仮貼着する第１仮貼着部と、第２表示用シールを仮貼着する第２仮貼着部とから構成し、第１仮貼着部と第２仮貼着部との間に一覧表部を設けたことによって、使用しない第１表示用シールと第２表示用シールとを別々に管理しやすく、使用していなかった第１表示用シール及び第２表示用シールを使用する場合に、素早く必要な第１表示用シール及び第２表示用シールを見つけ出すことができる。
【００１６】
請求項５記載の発明によれば、第１表示用シールの一側及び第２表示用シールの一側には、第１表示用シール及び第２表示用シールの幅寸法よりも細幅とした細幅片を設けるとともに、この細幅片の先端には同細幅片よりも太幅とした重合片を設け、細幅片の中途部で折り返すことにより重合片を第１表示用シールの裏面及び第２表示用シールの裏面に重合させて摘み片を形成することによって、第１表示用シール及び第２表示用シールに摘み片を容易に形成することができるとともに、摘み片部分は二重構造となっていることによって破損しにくくすることができる。しかも、摘み片部分は管理用シートとは粘着していないので、管理用シートへの第１表示用シール及び第２表示用シールの着脱を容易に行うことができる。
【発明を実施するための最良の形態】
【００１７】
本発明の賞味期限管理シートは、台紙に管理用シートと、複数の表示用シールとを着脱自在に貼設した賞味期限管理シートとしているものである。特に、管理用シートには、各曜日に対応させた７つの表示用シール貼着欄から構成した一覧表部と、この一覧表部に貼着する表示用シールを仮貼着する仮貼着部とを設けているものである。表示用シールには、食品名あるいは食品を表す図柄をそれぞれ表示しており、主要な食品を表示した表示用シールを設けている。
【００１８】
この賞味期限管理シートを使用する場合には、管理用シートを台紙から剥がして冷蔵庫あるいは壁等の所要の位置に貼設し、次いで、表示用シールを台紙から剥がして管理用シートの仮貼着部に貼着している。
【００１９】
管理用シートには、「日曜日期限貼着欄」、「月曜日期限貼着欄」、「火曜日期限貼着欄」、「水曜日期限貼着欄」、「木曜日期限貼着欄」、「金曜日期限貼着欄」、「土曜日期限貼着欄」の７つの表示用シール貼着欄を設けており、仮貼着部に貼着した所要の食品の表示用シールを表示用シール貼着欄のいずれか一つの貼着欄に貼着することによって、賞味期限を管理するようにしている。
【００２０】
このように日付でなく曜日で賞味期限を管理することにより管理のための判断条件を簡略化することができるので、判断の負担を低減することができ、使用者の心理的な負担を軽減することができる。すなわち、賞味期限を期日で管理する場合には、使用者は賞味期限を越えた食品は廃棄しなければならないという強迫観念にとらわれやすく、これが大きな心理的負担となっているが、曜日で管理する場合には、この曜日までに食品を消費しようという積極的な心理が働きやすく、賞味期限が消費完了目標日として認識されやすくなることによって正規の賞味期限よりも前に消費完了目標日を設定することに心理的な負担が少なく、判断の負担を大きく低減できているものと考えられる。
【００２１】
しかも、曜日ごとに消費完了目標の食品が区分されることによって献立を考えやすくすることができ、賞味期限の管理としてだけでなく、献立立案の補助としても使用することができる。
【００２２】
表示用シールの一側には、同表示用シールの幅寸法よりも細幅とした細幅片を設けるとともに、この細幅片の先端には同細幅片よりも太幅とした重合片を設け、細幅片の中途部で折り返すことにより重合片を表示用シールの裏面に重合させて摘み片を形成するようにしている。
【００２３】
したがって、管理用シートに表示用シールを貼着した場合に摘み片部分は管理用シートとは粘着していないので、摘み片部分は管理用シートの表面から常に剥離した状態とすることができ、摘み片を用いた表示用シールの管理用シートへの着脱を容易に行うことができる。
【００２４】
しかも、摘み片部分は細幅片の中途部で折り返して形成して二重構造としているので、破損しにくくすることができる。特に、細幅片の先端には細幅片よりも太幅とした重合片を設け、この重合片を表示用シールの裏面に重合させていることによって、最も破断しやすい細幅片の基端と表示用シールとの接続領域を補強することができ、しかも、重合片が重合した表示用シールの部分も摘み片の一部となることによって、摘み片を用いて表示用シールを管理用シートから剥がす場合に細幅片の基端に強い力が作用することを防止できるので、摘み片部分の破損を防止できる。
【００２５】
以下において、図面に基づいて本発明の実施形態を詳説する。図１は、本実施形態の賞味期限管理シートＡの正面図である。
【００２６】
賞味期限管理シートＡは、台紙10と、この台紙10に着脱自在に貼着した管理用シート20と、同じく台紙10に着脱自在に貼着した複数の第１表示用シール30と、同じく台紙10に着脱自在に貼着した複数の第２表示用シール40とで構成している。管理用シート20、第１表示用シール30、第２表示用シール40はそれぞれポリプロピレン樹脂を主原料とする合成紙で形成し、水や汚れに対する耐性を高めている。さらには、抗菌性を有する素材を使用することにより、雑菌等の繁殖を抑制してもよい。
【００２７】
管理用シート20、第１表示用シール30、第２表示用シール40の裏面にはそれぞれ台紙10に対して着脱自在の粘着性を有する接着剤を塗布している。この接着剤は、繰り替えしの着脱、すなわち貼り剥がしが可能な接着剤としている。台紙10は、管理用シート20、第１表示用シール30、第２表示用シール40を着脱自在に保持することができれば何であってもよい。
【００２８】
このように、賞味期限管理シートＡは、台紙10に貼着した管理用シート20と、第１表示用シール30と、第２表示用シール40とだけで構成しているので、低コストとすることができ、安価な賞味期限管理シートＡを提供可能とすることができる。
【００２９】
管理用シート20には、本実施形態では１０行８列とした行列形式の一覧表で構成した一覧表部21と、この一覧表部21に貼着する第１表示用シール30を仮貼着する第１仮貼着部22と、同じく一覧表部21に貼着する第２表示用シール40を仮貼着する第２仮貼着部23とを設けている。なお、一覧表の行数は１０行に限定するものではなく、１０行より多くてもよいし、少なくてもよい。
【００３０】
一覧表部21では、第１列目を第１表示用シール貼着列として９つの第１表示用シール貼着欄21aを設けており、第２列目から第８列目までを第２表示用シール貼着列として、１つの第１表示用シール貼着欄21aごとに各曜日に対応させた７つの第２表示用シール貼着欄21bを設けている。すなわち、第２列目は日曜日期限貼着欄用列、第３列目は月曜日期限貼着欄用列、第４列目は火曜日期限貼着欄用列、第５列目は水曜日期限貼着欄用列、第６列目は木曜日期限貼着欄用列、第７列目は金曜日期限貼着欄用列、第８列目は土曜日期限貼着欄用列としている。なお、変容例として、行の項目と列の項目とを入れ替えた一覧表としてもよい。
【００３１】
本実施形態では、第１仮貼着部22は一覧表部21の左隣に設け、第２仮貼着部23は一覧表部21の右隣に設けて、第１仮貼着部22と第２仮貼着部23との間に一覧表部21を設けている。第１仮貼着部22に仮貼着する第１表示用シール30は、第１表示用シール貼着欄21aに貼着するものであるので、第１表示用シール貼着欄21aの左隣に第１表示用シール30を仮貼着していることによって、第１仮貼着部22から第１表示用シール貼着欄21aへの第１表示用シール30の移動、逆に第１表示用シール貼着欄21aから第１仮貼着部22への第１表示用シール30の移動を容易に行うことができ、第１表示用シール30の貼替作業を容易に行うことができる。
【００３２】
しかも、第１仮貼着部22と第２仮貼着部23との間に一覧表部21を設けたことによって、使用しない第１表示用シール30と第２表示用シール40とを別々に管理しやすく、使用していなかった第１表示用シール30及び第２表示用シール40を使用する場合に、素早く所要の第１表示用シール30及び第２表示用シール40を見つけ出すことができる。
【００３３】
第１表示用シール30は食品表示シールとしており、牛肉、豚肉、鶏肉、魚、青野菜、牛乳等の主要食品の図柄を描画している。さらに、第２表示用シール40は期限管理用シールとしており、第１表示用シール30と同様に牛肉、豚肉、鶏肉、魚、青野菜、牛乳等の主要食品の図柄を描画して、第１表示用シール30と第２表示用シール40とをそれぞれ１組として使用するようにしている。
【００３４】
特に、第１表示用シール30と第２表示用シール40とを明確に識別可能とするために、本実施形態では、第１表示用シール30は略矩形形状とし、第２表示用シール40は略楕円形状としている。さらには、形状だけでなく色彩や図柄によって識別可能としてもよい。
【００３５】
また、本実施形態では、第１表示用シール30を略矩形形状とし、第２表示用シール40を略楕円形状としていることによって、第１仮貼着部22には第１表示用シール30と略同形状の略矩形とした仮貼着目印枠を設けるとともに、第２仮貼着部23には第２表示用シール40と略同形状の略楕円形とした仮貼着目印枠を設けて、第１表示用シール30及び第２表示用シール40を第１仮貼着部22及び第２仮貼着部23に整然と仮貼着可能として、外観的に清潔感を与えることができるようにしている。
【００３６】
第１表示用シール30の一側及び第２表示用シール40の一側には、それぞれ、第１表示用シール及30及び第２表示用シール40の幅寸法よりも細幅とした細幅片31,41を設けるとともに、この細幅片31,41の先端には同細幅片31,41よりも太幅とした重合片32,42を設けている。
【００３７】
そして、後述するように、台紙10から剥がし取った第１表示用シール30及び第２表示用シール40において、第１表示用シール30と重合片32及び第２表示用シール40と重合片42との略中間となる細幅片31,41の中途部で細幅片31,41を折り返すことにより重合片32,42を第１表示用シール30の裏面及び第２表示用シールの裏面40に重合させて摘み片33,43を形成可能としている（図５参照）。
【００３８】
以下において、上記した賞味期限管理シートＡの使用方法について説明する。まず、図２に示すように、賞味期限管理シートＡにおいて、台紙10から管理用シート20を剥がし取って、図３に示すように冷蔵庫Ｂ等の所要の位置に管理用シート20を着設する。なお、このとき、管理用シート20を直接的に冷蔵庫Ｂ等の被貼着体に貼着するのではなく、管理用シート20を可撓性の磁石シート（図示せず）に貼着し、磁石シートを介して被貼着体に着設してもよい。また、所要の被貼着体に貼着した管理用シート20の表面に、ポリエチレン製等の透明部材からなる保護シートを重合させてもよい。
【００３９】
また、台紙10から管理用シート20を剥がし取った場合には、図４に示すように管理用シート20が貼着されていた管理用シート貼着領域20aの外周に枠縁状シール20bが残存することとなるが、この枠縁状シール20bはあらかじめ除去しておき、台紙10から管理用シート20及び後述するように第１表示用シール30と第２表示用シール40とを剥がし取った場合に、台紙10だけが残存するようにしていてもよい。特に、このように枠縁状シール20bをあらかじめ除去しておいた場合には、管理用シート20、第１表示用シール30及び第２表示用シール40を剥がし取りやすくすることができる。
【００４０】
管理用シート20を所要の被貼着体に着した後、図４に示すように、台紙10から第１表示用シール30を剥がし取り、図５（ａ）に示すように、第１表示用シール30と重合片32との略中間となる細幅片31の中途部で細幅片31を折り返すことにより重合片32を第１表示用シール30の裏面に重合させて摘み片33を形成する。同様に、台紙10から第２表示用シール40を剥がし取り、図５（ｂ）に示すように、第２表示用シール40と重合片42との略中間となる細幅片41の中途部で細幅片41を折り返すことにより重合片42を第２表示用シールの裏面40に重合させて摘み片43を形成する。
【００４１】
このようにして摘み片33,43を形成したことによって、摘み片33,43部分は管理用シート20から常に剥離させた状態とすることができるので、摘み片33,43を用いた第１表示用シール30及び第２表示用シール40の管理用シート20からの剥がし取りの作業を行いやすくすることができる。しかも、摘み片33,43は二重構造となっているので破損しにくくすることができる。
【００４２】
摘み片33,43を形成した第１表示用シール30及び第２表示用シール40は、図６に示すように、管理用シート20の第１仮貼着部22及び第２仮貼着部23にそれぞれ貼着する。
【００４３】
全ての第１表示用シール30及び第２表示用シール40を第１仮貼着部22及び第２仮貼着部23にそれぞれ貼着した後、図７に示すように、所要の第１表示用シール30を第１仮貼着部22から剥がし取って一覧表部21の第１表示用シール貼着欄21aに貼着する。
【００４４】
次いで、第１表示用シール貼着欄21aに貼着した第１表示用シール30に対応する第２表示用シール40を第２仮貼着部23から剥がし取って一覧表部21の所要の第２表示用シール貼着欄21bに貼着することにより賞味期限の管理を可能としている。
【００４５】
特に、第２表示用シール貼着欄21bを一覧表部21に貼着する場合には、その食品を使い切る目標日を基準にして貼着することができるので、神経質になることなく管理することができる。しかも、曜日ごとに貼着された第２表示用シール40から献立を起案することができ、食品を確実に消費することができるとともに、余計な食品の購入を抑制することもできる。
【００４６】
管理の必要がなくなった食品は、一覧表部21から第１表示用シール30を剥がし取り、その第１表示用シール30を第１仮貼着部22に着設するとともに、第２表示用シール40を剥がし取り、その第２表示用シール40を第２仮貼着部23に着設してもよいし、次に管理が必要となるまで、第２表示用シール40だけを剥がし取って、その第２表示用シール40を第２仮貼着部23に着設してもよい。
【００４７】
本実施形態では、一覧表部21には第１表示用シール貼着欄21aを設けて、管理している食品の項目を判別しやすくしているが、他の実施形態として、図８に示すように、管理用シート20'に設けた一覧表部21'には上記した実施形態の第２表示用シール貼着欄21bに相当する第２表示用シール貼着欄21b'を設け、この第２表示用シール貼着欄21b'に摘み片43'を設けた第２表示用シール40'を貼着することにより賞味期限を管理することもできる。
【００４８】
この場合には、第２表示用シール40'の着脱操作だけで管理を行うことができるので、極めて簡単に賞味期限を管理することができる。なお、この場合には、管理用シート20'には必ずしも一覧表部21'を設ける必要はなく、曜日ごとに区別して第２表示用シール貼着欄21b'を貼着可能となっていればよい。
【図面の簡単な説明】
【００４９】
【図１】本発明にかかる賞味期限管理シートの正面図である。
【図２】賞味期限管理シートの使用形態を説明する説明図である。
【図３】賞味期限管理シートの使用形態を説明する説明図である。
【図４】賞味期限管理シートの使用形態を説明する説明図である。
【図５】摘み片の形成方法を説明する説明図である。
【図６】賞味期限管理シートの使用形態を説明する説明図である。
【図７】賞味期限管理シートの使用形態を説明する説明図である。
【図８】他の実施形態の賞味期限管理シートの使用形態を説明する説明図である。
【符号の説明】
【００５０】
Ａ  賞味期限管理シート
10  台紙
20  管理用シート
21  一覧表部
21a 第１表示用シール貼着欄
21b 第２表示用シール貼着欄
22  第１仮貼着部
23  第２仮貼着部
30  第１表示用シール
31  細幅片
32  重合片
33  摘み片
40  第２表示用シール
41  細幅片
42  重合片
43  摘み片
【図１】
2005121824.tif 000003
【図２】
2005121824.tif 000004
【図３】
2005121824.tif 000005
【図４】
2005121824.tif 000006
【図５】
2005121824.tif 000007
【図６】
2005121824.tif 000008
【図７】
2005121824.tif 000009
【図８】
2005121824.tif 000010